(57)【要約】【課題】生体試料中に含まれるリン脂質を除去することで、イオン化時に起こりうる目的成分に対するイオンサプレッションを抑制し、簡便かつ高精度な質量分析を可能とするリン脂質の除去方法を提供することにある。【解決手段】加水分解酵素ホスホリパーゼＤ又はホスホリパーゼＣを作用させて試料溶液中のリン脂質を分解した後、固相抽出法や液体クロマトグラフにより酵素やリン脂質の分解生成物を除去することで、質量分析法で問題となるイオンサプレッションを抑制し、高精度な測定を可能とする。【選択図】図１
2011220756.tif 000002
【特許請求の範囲】
【請求項１】
生体液中の目的成分を質量分析装置を用いて測定する分析法に用いられるリン脂質の除去方法であって、
前記生体液中のリン脂質分子を分解することを特徴とするリン脂質の除去方法。
【請求項２】
請求項１記載のリン脂質の除去方法において、
リン酸部位で分解できる加水分解酵素をリン脂質に作用させることにより、前記リン脂質分子を分解することを特徴とするリン脂質の除去方法。
【請求項３】
請求項２記載のリン脂質の除去方法において、
前記加水分解酵素として、ホスホリパーゼＤを用いることを特徴とするリン脂質の除去方法。
【請求項４】
請求項１記載のリン脂質の除去方法において、
前記リン脂質分子を分解した後、リン脂質の分解生成物と目的成分を分離することを特徴とするリン脂質の除去方法。
【請求項５】
請求項４記載のリン脂質の除去方法において、
前記加水分解酵素として、ホスホリパーゼＣ若しくはホスホリパーゼＤを用いることを特徴とするリン脂質の除去方法。
【請求項６】
請求項４記載のリン脂質の除去方法において、
疎水性相互作用により成分を分離可能な手段を用いて、リン脂質の分解生成物と目的成分を分離することを特徴とするリン脂質の除去方法。
【請求項７】
請求項６記載のリン脂質の除去方法において、
疎水性相互作用により成分を分離可能な手段として、固相抽出カートリッジ若しくは液体クロマトグラフを用いることを特徴とするリン脂質の除去方法。
【発明の詳細な説明】
【技術分野】
【０００１】
本発明は、血液などの生体試料に含まれる成分を、固相抽出などによる前処理を行った後、質量分析装置により分析する分析方法に適用するに好適なリン脂質の除去方法に関する。
【背景技術】
【０００２】
質量分析法は、測定対象成分をイオン化し、生成したイオンの質量に基づいて測定する分析法である。特に質量分析を複数回実施するＭＳ／ＭＳと呼ばれる分析法は、測定対象成分イオンをフラグメント化することにより、夾雑成分を多く含む試料溶液中の微量成分を高感度かつ高選択性をもって検出できることから、生体試料をはじめ多くの分野で利用されている。例えば血清や尿などの生体試料を９６穴の固相抽出プレートで処理し、質量分析計で測定することにより、アミノ酸，カルニチン類，糖及び免疫抑制剤などの定量を行うものが知られている（例えば、特許文献１参照）。
【０００３】
質量分析法を血液のような夾雑物を多く含む生体試料中の微量成分分析に応用する場合、目的成分の信号強度が夾雑物の存在しない場合よりも低下する、イオンサプレッションと呼ばれる問題が発生する。質量分析法では、エレクトロスプレーイオン化法などのイオン化法により、目的対象成分をイオン化する必要がある。目的成分をイオン化する際に多量の夾雑物が同時に存在すると、目的成分のイオン化効率が低下し、定量結果に影響を与える。血液試料の場合、試料中に多く含まれかつイオン化効率が高いたんぱく質やリン脂質などの夾雑物が、共存物質のイオン化効率を低下させる成分として知られている（例えば、非特許文献１参照）。このようなイオン化効率の低下すなわちイオンサプレッションは、定量値の精度あるいは正確さに悪影響を与えることから、何らかの対策が必要となる。
【０００４】
イオンサプレッション対策の一例として、同一のイオンサプレッションを生じるとみなすことができる安定同位体標識物質を用いて定量値を補正する方法がある。しかし、安定同位体標識物質の合成にはコストがかかるだけではなく、合成できない成分については安定同位体標識物質を作製できないという問題がある。そこで、特許文献１では、内部標準物質として、安定同位体標識物質の他に、分子構造の似通った類似化合物を用いている。このように内部標準物質に類似化合物を用いる場合、夾雑成分による影響が、測定対象物質と内部標準物質とで完全には等価でなく、補正をおこなっても正確な値が得られる保証はない。
【０００５】
別のイオンサプレッション対策として、夾雑成分と測定対象成分とを分離する、例えば液体クロマトグラフや固相抽出処理の前処理を行うことで、夾雑成分の影響を軽減させる方法も用いられる。液体クロマトグラフのような高価な専用装置を用いる手法に比べ、固相抽出処理は簡便な操作で目的成分の分離濃縮と夾雑物の除去が行える。分子サイズの大きなたんぱく質の場合、固相抽出処理で血液試料中の目的成分との分離除去は比較的容易であるが、リン脂質の目的対象成分との分離除去は容易ではないことが多い。多量のリン脂質が溶液内に存在すると、質量分析法で測定結果に影響を与えるだけでなく、固相抽出処理においても目的対象成分の捕捉回収率を低下させる。そのため、リン脂質と固相抽出剤との接触を避けることが必要となる。
【０００６】
リン脂質を選択的に捕捉する方法として、チタニアやジルコニア等の金属酸化物とリン酸化化合物の特異的な相互作用を利用したものが知られている（例えば、非特許文献２，特許文献２参照）。非特許文献２では、チアニア粒子を用いて卵黄由来脂質抽出液から選択的にリン脂質を濃縮している。また、特許文献２では、チタニア粒子を用いて細胞由来脂質抽出液からリン脂質および糖脂質を選択的に分離している。
【０００７】
リン脂質を選択的に捕捉する別の方法として、溶媒抽出を用いる方法が知られている（例えば、特許文献３参照）。特許文献３では、卵黄からリン脂質を選択的に分離するため、水を加えた後に混合液のｐＨを調整後遠心分離によりリン脂質を分離している。
【先行技術文献】
【特許文献】
【０００８】
【特許文献１】米国特許第２００７／０００４０４４号公報
【特許文献２】特開２００８―１５６５７１号公報
【特許文献３】特表２００３−５０５００７号公報
【非特許文献１】Yuan-Qing Xia and Mohammed Jemal,Rapid Commun,Mass Spectrom,2009,(23),2125-2138
【非特許文献２】Y.Ikeguchi and H.Nakamura,Anal. Sci.,2000,(16),541-543
【発明の概要】
【発明が解決しようとする課題】
【０００９】
しかしながら、非特許文献２，特許文献２記載の方法は、いずれも溶媒抽出により脂質のみを精製した抽出液を対象としており、血液試料の様な複雑な夾雑物に対するリン脂質の選択的吸着については考慮されていない。
【００１０】
また、特許文献３記載の方法は。複数回の遠心分離を必要とする、非常に煩雑な操作である。
【００１１】
本発明の目的は、生体試料中に含まれるリン脂質を除去することで、イオン化時に起こりうる目的成分に対するイオンサプレッションを抑制し、簡便かつ高精度な質量分析を可能とするリン脂質の除去方法を提供することにある。
【課題を解決するための手段】
【００１２】
（１）上記目的を達成するために、本発明は、生体液中の目的成分を質量分析装置を用いて測定する分析法に用いられるリン脂質の除去方法であって、前記生体液中のリン脂質分子を分解するようにしたものである。  
かかる方法により、生体試料中に含まれるリン脂質を除去することで、イオン化時に起こりうる目的成分に対するイオンサプレッションを抑制し、簡便かつ高精度な質量分析が可能となる。
【００１３】
（２）上記（１）において、好ましくは、リン酸部位で分解できる加水分解酵素をリン脂質に作用させることにより、前記リン脂質分子を分解するようにしたものである。
【００１４】
（３）上記（２）において、好ましくは、前記加水分解酵素として、ホスホリパーゼＤを用いるようにしたものである。
【００１５】
（４）上記（１）において、好ましくは、前記リン脂質分子を分解した後、リン脂質の分解生成物と目的成分を分離するようにしたものである。
【００１６】
（５）上記（４）において、好ましくは、前記加水分解酵素として、ホスホリパーゼＣ若しくはホスホリパーゼＤを用いるようにしたものである。
【００１７】
（６）上記（４）において、好ましくは、疎水性相互作用により成分を分離可能な手段を用いて、リン脂質の分解生成物と目的成分を分離するようにしたものである。
【００１８】
（７）上記（６）において、好ましくは、疎水性相互作用により成分を分離可能な手段として、固相抽出カートリッジ若しくは液体クロマトグラフを用いるようにしたものである。
【発明の効果】
【００１９】
本発明によれば、生体試料中に含まれるリン脂質を除去することで、イオン化時に起こりうる目的成分に対するイオンサプレッションを抑制し、簡便かつ高精度な質量分析を可能となる。
【図面の簡単な説明】
【００２０】
【図１】本発明の第１の実施形態によるリン脂質の除去方法の処理内容を示すフローチャートである。
【図２】本発明の第２の実施形態によるリン脂質の除去方法の処理内容を示すフローチャートである。
【図３】本発明の第３の実施形態によるリン脂質の除去方法の処理内容を示すフローチャートである。
【発明を実施するための形態】
【００２１】
以下、図１を用いて、本発明の第１の実施形態によるリン脂質の除去方法について説明する。  
図１は、本発明の第１の実施形態によるリン脂質の除去方法の処理内容を示すフローチャートである。
【００２２】
本実施形態は、加水分解酵素ホスホリパーゼＤを用いて血清試料中のリン脂質を分解した後、固相抽出処理により極性物質を除去した後、質量分析計にて目的成分であるテオフィリンを測定するものである。
【００２３】
ホスホリパーゼとは、リン脂質をリン酸部位で加水分解する酵素の一群のことである。ここで、ホスホリパーゼとは、リン脂質の分解部位により、ホスホリパーゼＡ１，ホスホリパーゼＡ２，ホスホリパーゼＣ，およびホスホリパーゼＤの４種類に大別できる。
【００２４】
本実施形態では、ホスホリパーゼＤを用いている。血清中には多種のリン脂質が存在するが、主要なリン脂質はホスファチジルコリン，スフィンゴミエリン，リゾホスファチジルコリンであり、これら３種類で血清中リン脂質の９０％以上を占める。そのため、ここではこれら３種類のリン脂質の加水分解反応について説明する。なおこれら３種類の主要なリン脂質は、いずれも分子構造内に極性官能基であるコリンを有し、そのため質量分析において正イオンで強く検出される。また質量分析で他の測定成分に対してイオン化効率を低下させることが知られている。なお、他の１０％以下のリン脂質は、コリンを有しないため、イオン化した際にも影響がないものである。
【００２５】
血清など水を多く含む溶液中のリン脂質は、ホスホリパーゼＤによりリン酸エステル部の加水分解反応を受ける。ホスホリパーゼＤによるリン脂質加水分解反応を、（化１）から（化３）を用いて説明する。
【００２６】
【化１】
2011220756.tif 000003
【００２７】
（化１）はホスファチジルコリンの分解反応であり、ホスホリパーゼＤにより、コリンとホスファチジン酸に分解される。
【００２８】
【化２】
2011220756.tif 000004
【００２９】
（化２）はリゾホスファチジルコリンの分解反応であり、ホスホリパーゼＤにより、コリンとリゾホスファチジン酸に分解される。
【００３０】
【化３】
2011220756.tif 000005
【００３１】
（化３）はスフィンゴミエリンの分解反応であり、ホスホリパーゼＤにより、コリンとＮ−アシルスフィンゴシルホスフェートに分解される。
【００３２】
次に、図１を用いて、本実施形態における分析法フローについて説明する。
【００３３】
測定対象である血清には、市販の管理血清（日水製薬製）にテオフィリンを最終濃度５．０μＬ／ｍｉｎ、および内標準としてテオフィリン−ｄ６を最終濃度１．０μＬ／ｍｉｎになるように添加したものを、評価用血清試料として用いた。
【００３４】
ステップＳ１０において、血清試料溶液１０マイクロリットルが試料保存容器から分注され、反応容器に注入される。試料溶液を注入後、加水分解酵素ホスホリパーゼＤを１Ｕ／ｍＬおよび塩化カルシウム５０ｍｍｏｌ／Ｌを含み緩衝液によりｐＨ７．５に調製された分解液１ミリリットルが分注され、血清試料溶液が注入された反応容器に注入される。
【００３５】
分解液を注入後、反応容器を数秒間振動させ、容器内部の試料溶液と分解液を十分に攪拌する。攪拌した後、反応容器は３７℃に温度設定された反応槽により１０分間加温され、（化１）に示したホスホリパーゼＤによるリン脂質の加水分解反応が行われる。
【００３６】
そして、５分後、ステップＳ２０において、１０％トリフルオロ酢酸（ＴＡＦ溶液）１０マイクロリットルを反応容器に添加し、ホスホリパーゼＤを変性させることで加水分解反応を停止させる。
【００３７】
反応停止後、ステップＳ３０において、反応液を含む血清試料溶液全量を、固相抽出カートリッジに注入する。固相抽出カートリッジには、疎水性相互作用を利用して溶液中の成分を捕捉するものが使用可能であり、例えば（株）日立ハイテクノロジーズ製ＮＯＢＩＡＳ  ＲＰ−ＯＤ１（シリンジ形、１ｍＬ）が使用できる。注入された血清試料溶液は、減圧吸引により固相抽出カートリッジから排出される。このとき、溶液中に含まれる測定対象成分テオフィリンやリン脂質の疎水性分解物はカートリッジに捕捉される一方、リン脂質からの親水性分解物であるコリンや血清中に内在するたんぱく質やホスホリパーゼＤなどは、固相抽出剤との相互作用が弱いため、固相抽出カートリッジに捕捉されずにカートリッジ外に排出される。
【００３８】
次に、ステップＳ４０において、洗浄液として純水１ミリリットルを固相抽出カートリッジに注入し、固相抽出カートリッジ表面に残存した塩類などの低分子成分を排出する。
【００３９】
洗浄後、ステップＳ５０において、５０％メタノール水溶液１ミリリットルを固相抽出カートリッジに注入し、測定対象であるテオフィリンを溶出させる。溶出液は、遠心濃縮機を用いて蒸発幹固後、２０％メタノール水溶液２０マイクロリットルに再溶解することで、質量分析計への測定溶液が調製される。
【００４０】
質量分析計としては、エレクトロスプレーイオン化法を備えたものが使用できる。また質量分析計への試料導入装置としては、液体クロマトグラフがはん用される。本実施形態では、液体クロマトグラフとして、日立ハイテクノロジーズ社製Ｌ−２１００形ポンプ、Ｌ−２２００形オートサンプラ、Ｌ−２３００形カラムオーブンを用いた。液体クロマトグラフの分離カラムには、Ｈｉｔａｃｈｉ−Ｉｎｅｒｔｓｉｌ−ＯＤＳ−３（粒子径３μｍ、内径２．１ｍｍ、長さ１００ｍｍ）を用いた。質量分析計として、アプライドバイオシステムズ社製三連四重極型質量分析計ＱＴＲＡＰ３２００を用いた。
【００４１】
本実施形態による血清中テオフィリンの定量結果は４．６±０．１μｇ／ｍＬとなり、添加濃度５．０μｇ／ｍＬに対して回収率９２％と高い回収率で定量することができた。
【００４２】
以上の説明では、酵素分解した成分と測定対象であるテオフィリンの分離精製を固相抽出カラムにて実施したが、固相抽出カラムと同様に疎水性相互作用により成分を分離可能な分離カラムを備えた液体クロマトグラフを用いても、本例のようにテオフィリンと夾雑成分を分離精製することが可能である。また液体クロマトグラフを用いる場合、カラムスイッチング法を用いることで酵素分解した血清試料溶液の分離精製とテオフィリン定量分析をオンラインで行うことも可能である。
【００４３】
以上説明したように、本実施形態によれば、質量分析装置での測定に影響を与えるリン脂質を、溶液中から短時間で分解、除去することが可能となり、生体液中の微量成分を高精度な質量分析が実現できる。
【００４４】
次に、図２を用いて、本発明の第２の実施形態によるリン脂質の除去方法について説明する。  
図２は、本発明の第２の実施形態によるリン脂質の除去方法の処理内容を示すフローチャートである。
【００４５】
本実施形態は、加水分解酵素ホスホリパーゼＤを用いて血清試料中のリン脂質を分解した後、質量分析計にて目的成分であるテオフィリンを測定するものである。すなわち、第１の実施形態における固相抽出処理による極性物質の除去は行わないものである。
【００４６】
測定対象である血清には、第１の実施形態と同様に、市販の管理血清（日水製薬製）にテオフィリンを最終濃度５．０μＬ／ｍｉｎ、および内標準としてテオフィリン−ｄ６を最終濃度１．０μＬ／ｍｉｎになるように添加したものを、評価用血清試料として用いた。
【００４７】
ステップＳ１０において、血清試料溶液１０マイクロリットルが試料保存容器から分注され、反応容器に注入される。試料溶液を注入後、加水分解酵素ホスホリパーゼＤを１Ｕ／ｍＬおよび塩化カルシウム５０ｍｍｏｌ／Ｌを含み緩衝液によりｐＨ７．５に調製された分解液１ミリリットルが分注され、血清試料溶液が注入された反応容器に注入される。
【００４８】
分解液を注入後、反応容器を数秒間振動させ、容器内部の試料溶液と分解液を十分に攪拌する。攪拌した後、反応容器は３７℃に温度設定された反応槽により１０分間加温され、（化１）に示したホスホリパーゼＤによるリン脂質の加水分解反応が行われる。
【００４９】
そして、５分後、ステップＳ２０において、１０％トリフルオロ酢酸（ＴＡＦ溶液）１０マイクロリットルを反応容器に添加し、ホスホリパーゼＤを変性させることで加水分解反応を停止させる。
【００５０】
以上の処理により、３種類のリン脂質は、コリンとホスファチジン酸等に分解される。その後、質量分析計により分析される。ここで、コリンの分子量は約１００であり、ホスファチジン酸の分子量は約６８０である。一方、目的成分であるテオフィリンの分子量は約１８０である。従って、質量分析計により、質量分析すると、コリンと、目的成分であるテオフィリンとは異なる質量数のピークとして分析されるため、両者を分離して、目的成分であるテオフィリンの定量が可能である。
【００５１】
質量分析計としては、第１の実施形態と同様に、エレクトロスプレーイオン化法を備えたものが使用できる。また質量分析計への試料導入装置としては、液体クロマトグラフがはん用される。本実施形態では、液体クロマトグラフとして、日立ハイテクノロジーズ社製Ｌ−２１００形ポンプ、Ｌ−２２００形オートサンプラ、Ｌ−２３００形カラムオーブンを用いた。液体クロマトグラフの分離カラムには、Ｈｉｔａｃｈｉ−Ｉｎｅｒｔｓｉｌ−ＯＤＳ−３（粒子径３μｍ、内径２．１ｍｍ、長さ１００ｍｍ）を用いた。質量分析計として、アプライドバイオシステムズ社製三連四重極型質量分析計ＱＴＲＡＰ３２００を用いた。
【００５２】
本実施形態でも、血清中テオフィリンを高い回収率で定量することができた。
【００５３】
以上説明したように、本実施形態によれば、質量分析装置での測定に影響を与えるリン脂質を、溶液中から短時間で分解、除去することが可能となり、生体液中の微量成分を高精度な質量分析が実現できる。
【００５４】
次に、図３を用いて、本発明の第３の実施形態によるリン脂質の除去方法について説明する。  
図３は、本発明の第３の実施形態によるリン脂質の除去方法の処理内容を示すフローチャートである。
【００５５】
本実施形態は、加水分解酵素ホスホリパーゼＣを用いて血清試料中のリン脂質を分解した後、固相抽出処理により極性物質を除去した後、質量分析計にて目的成分であるテオフィリンを測定するものである。
【００５６】
ホスホリパーゼＤを加水分解酵素として用いると、(化１)等で説明したように、リン脂質の分解部位は、（化１）における酸素基とリン基の間である。それに対して、ホスホリパーゼＣを加水分解酵素として用いると、リン脂質の分解部位は、ホスホリパーゼＤよりも（化１）における右側となる。その結果、ホスホリパーゼＣを加水分解酵素として、ホスファチジルコリンを加水分解すると、ホスホコリンと、ジアシルグリセロールとに分解される。スフィンゴミエリン，リゾホスファチジルコリンについても、ホスホコリンと、他の成分に分解される。
【００５７】
図１を用いて、本実施形態における分析法フローについて説明する。
【００５８】
測定対象である血清には、第１の実施形態と同様に、市販の管理血清（日水製薬製）にテオフィリンを最終濃度５．０μＬ／ｍｉｎ、および内標準としてテオフィリン−ｄ６を最終濃度１．０μＬ／ｍｉｎになるように添加したものを、評価用血清試料として用いた。
【００５９】
ステップＳ１０Ａにおいて、血清試料溶液１０マイクロリットルが試料保存容器から分注され、反応容器に注入される。試料溶液を注入後、加水分解酵素ホスホリパーゼＣを１Ｕ／ｍＬおよび塩化カルシウム５０ｍｍｏｌ／Ｌを含み緩衝液によりｐＨ７．５に調製された分解液１ミリリットルが分注され、血清試料溶液が注入された反応容器に注入される。
【００６０】
分解液を注入後、反応容器を数秒間振動させ、容器内部の試料溶液と分解液を十分に攪拌する。攪拌した後、反応容器は３７℃に温度設定された反応槽により１０分間加温され、ホスホリパーゼＣによるリン脂質の加水分解反応が行われる。
【００６１】
そして、５分後、ステップＳ２０において、１０％トリフルオロ酢酸（ＴＡＦ溶液）１０マイクロリットルを反応容器に添加し、ホスホリパーゼＣを変性させることで加水分解反応を停止させる。
【００６２】
反応停止後、ステップＳ３０において、反応液を含む血清試料溶液全量を、固相抽出カートリッジに注入する。固相抽出カートリッジには、疎水性相互作用を利用して溶液中の成分を捕捉するものが使用可能であり、例えば（株）日立ハイテクノロジーズ製ＮＯＢＩＡＳ  ＲＰ−ＯＤ１（シリンジ形、１ｍＬ）が使用できる。注入された血清試料溶液は、減圧吸引により固相抽出カートリッジから排出される。このとき、溶液中に含まれる測定対象成分テオフィリンやリン脂質の疎水性分解物はカートリッジに捕捉される一方、リン脂質からの親水性分解物であるホスホコリンや血清中に内在するたんぱく質やホスホリパーゼＣなどは、固相抽出剤との相互作用が弱いため、固相抽出カートリッジに捕捉されずにカートリッジ外に排出される。
【００６３】
次に、ステップＳ４０において、洗浄液として純水１ミリリットルを固相抽出カートリッジに注入し、固相抽出カートリッジ表面に残存した塩類などの低分子成分を排出する。
【００６４】
洗浄後、ステップＳ５０において、５０％メタノール水溶液１ミリリットルを固相抽出カートリッジに注入し、測定対象であるテオフィリンを溶出させる。溶出液は、遠心濃縮機を用いて蒸発幹固後、２０％メタノール水溶液２０マイクロリットルに再溶解することで、質量分析計への測定溶液が調製される。
【００６５】
質量分析計としては、第１の実施形態と同様に、エレクトロスプレーイオン化法を備えたものが使用できる。また質量分析計への試料導入装置としては、液体クロマトグラフがはん用される。本実施形態では、液体クロマトグラフとして、日立ハイテクノロジーズ社製Ｌ−２１００形ポンプ、Ｌ−２２００形オートサンプラ、Ｌ−２３００形カラムオーブンを用いた。液体クロマトグラフの分離カラムには、Ｈｉｔａｃｈｉ−Ｉｎｅｒｔｓｉｌ−ＯＤＳ−３（粒子径３μｍ、内径２．１ｍｍ、長さ１００ｍｍ）を用いた。質量分析計として、アプライドバイオシステムズ社製三連四重極型質量分析計ＱＴＲＡＰ３２００を用いた。
【００６６】
本実施形態でも、血清中テオフィリンを高い回収率で定量することができた。
【００６７】
なお、ホスホコリンの分子量は約１８０であり、目的成分であるテオフィリンの分子量と同様である。従って、図２にて説明した第２の実施形態のようにステップＳ１０，Ｓ２０だけの処理の後、質量分析すると、ホスホコリンの質量量と、目的成分であるテオフィリンの質量数はほぼ同じであり、両者を分離することはできないものである。従って、加水分解酵素として、ホスホリパーゼＣを用いる場合には、ステップＳ３０における固相抽出カートリッジによる分離が必要となる。
【００６８】
なお、酵素分解した成分と測定対象であるテオフィリンの分離精製を固相抽出カラムにて実施したが、固相抽出カラムと同様に疎水性相互作用により成分を分離可能な分離カラムを備えた液体クロマトグラフを用いても、本例のようにテオフィリンと夾雑成分を分離精製することが可能である。また液体クロマトグラフを用いる場合、カラムスイッチング法を用いることで酵素分解した血清試料溶液の分離精製とテオフィリン定量分析をオンラインで行うことも可能である。
【００６９】
以上説明したように、本実施形態によれば、質量分析装置での測定に影響を与えるリン脂質を、溶液中から短時間で分解、除去することが可能となり、生体液中の微量成分を高精度な質量分析が実現できる。
【００７０】
なお、ホスホリパーゼＡ１，Ａ２を加水分解酵素として用いると、リン脂質の分解部位は、ホスホリパーゼＤ，Ｃよりも（化１）における右側となる。その結果、ホスホリパーゼＡ２を加水分解酵素として、ホスファチジルコリンを加水分解すると、リゾホスファチジルコリンと、他の成分とに分解される。リゾホスファチジルコリンは、（化２）における左辺の成分であるため、ホスホリパーゼＡ２では、所望の成分に分解することはできないものである。ホスホリパーゼＡ１についても、同様である。
【図１】
2011220756.tif 000006
【図２】
2011220756.tif 000007
【図３】
2011220756.tif 000008